(57)【要約】      （修正有）【課題】画面の文字や画像を、利用者に読みやすい倍率に拡大又は縮小する、情報端末を提供する。【解決手段】利用者は、操作部４からの顔端末間距離の数値及び倍率の数値を入力する。個人基準情報設定手段８は、入力された顔端末間距離の数値及び倍率の数値を操作顔端末間距離と倍率との関係を規定した個人基準情報１４として個人データ記憶部１３に記憶する。文字や画像が画面７に表示された状態において、距離センサ２が顔端末間距離を測定して、距離検出手段９が顔端末間距離を検出する。倍率決定手段１０は、検出された顔端末間距離に応じた倍率を個人データ記憶部１３の個人基準情報１４から取得し、画面７に表示された文字や画像を取得した倍率で拡大又は縮小する。【選択図】図１
2017204156.tif 000002
【特許請求の範囲】
【請求項１】
可視化表示器の画面と距離センサと個人基準情報設定手段と距離検出手段と倍率決定手段と個人データ記憶部とを備えた情報端末であって、前記個人基準情報設定手段が利用者からの操作を受けて操作顔端末間距離と倍率との関係を個人基準情報として前記個人データ記憶部に記憶し、文字や画像が前記画面に表示された状態において、前記距離センサが顔端末間距離データを測定して前記距離検出手段に出力し、この距離検出手段が顔端末間距離を検出して前記倍率決定手段に出力すると、この倍率決定手段が前記検出された顔端末間距離に応じた倍率を前記個人データ記憶部から取得し、前記画面に表示された文字や画像を前記取得した倍率で拡大又は縮小して画面に表示することを特徴とする情報端末。
【発明の詳細な説明】
【技術分野】
【０００１】
本発明は、画面の文字や画像を利用者に読みやすい倍率に拡大又は縮小する、情報端末に関する。
【背景技術】
【０００２】
特許文献１で開示された情報端末は、携帯電話の容器に設置した拡大レンズで画面に表示された文字等の画像を拡大するようになっている（特許文献１の要約を参照）。特許文献２で開示された情報端末は、利用者の老視か近視かに基づき画面に表示される文字の倍率を変更するようになっている（特許文献２の要約を参照）。特許文献３で開示された情報端末１０１は、図３に示したように、情報端末１０１の利用者の顔画像をカメラ１０２で撮影し、利用者の顔と画面１０３との間の距離データを距離センサ１０４で計測し、制御部１０５が前記撮影された利用者の顔画像から利用者の両目の上瞼と下瞼との離間距離に前記距離データと基準離間距離を取得した際の距離データとの比率を乗じて前記上瞼と下瞼との離間距離を補正し、制御部１０５が前記補正された上瞼と下瞼との離間距離の平均を算出し、この算出した平均値が上瞼と下瞼との基準離間距離よりも小さくなると、制御部１０５が予め設定された倍率で画像を拡大して画面１０３に表示するようになっている（（特許文献３の段落００２２乃至００２９を参照）。しかしながら、特許文献１乃至３で開示された情報端末は、いずれも、利用者が顔と端末との間の距離としての顔端末間距離と倍率との関係を設定できないので、利用者は拡大された文字が読みにくい。
【先行技術文献】
【特許文献】
【０００３】
【特許文献１】実用新案登録第３０８５６０８号公報
【特許文献２】特開２０１３−１７１４４０号公報
【特許文献３】特許第５８３２９３９号
【発明の概要】
【発明が解決しようとする課題】
【０００４】
本発明は、前記背景技術に鑑みてなされたものであり、画面の文字や画像を利用者に読みやすい倍率に拡大又は縮小する、情報端末の提供を目的とする。
【課題を解決するための手段】
【０００５】
本発明は、可視化表示器の画面と距離センサと個人基準情報設定手段と距離検出手段と倍率決定手段と個人データ記憶部とを備えた情報端末であって、前記個人基準情報設定手段が利用者からの操作を受けて操作顔端末間距離と倍率との関係を個人基準情報として前記個人データ記憶部に記憶し、文字や画像が前記画面に表示された状態において、前記距離センサが顔端末間距離データを測定して前記距離検出手段に出力し、この距離検出手段が顔端末間距離を検出して前記倍率決定手段に出力すると、この倍率決定手段が前記検出された顔端末間距離に応じた倍率を前記個人データ記憶部から取得し、前記画面に表示された文字や画像を前記取得した倍率で拡大又は縮小して画面に表示することを特徴とする。
【発明の効果】
【０００６】
本発明は、顔端末間距離と倍率との関係が利用者により設定されるので、画面の文字や画像を利用者に読みやすい倍率に拡大又は縮小され、利用者が画面に表示された文字や画像を読みやすいという効果がある。
【図面の簡単な説明】
【０００７】
【図１】発明を実施するための形態に係る情報端末を示した構成図。
【図２】発明を実施するための形態に係る表示処理を示したフローチャート。
【図３】特許文献３で開示された情報端末を示した構成図。
【発明を実施するための形態】
【０００８】
図１に示した発明を実施するための形態に係る情報端末１は、距離センサ２と可視化表示器３と操作部４と制御部５と記憶部６とを、図示のされていない容器に備える。距離センサ２は、カメラ、マイク、赤外線距離測定器等の中の少なくとも１つからなり、利用者の顔と情報端末１との間の距離を顔端末間距離データとして測定し、測定した顔端末間距離データを距離検出手段９に出力する。
【０００９】
可視化表示器３は、文字、画像等からなる情報を人の目で認識できる形で画面７に表示する。操作部４は、キーボード又は画面７に表示されるタッチスイッチ等の中の少なくとも１つからなり、人の操作を受けて、その操作に相当する電気信号を制御部５に入力する入力機器として構成される。制御部５には、個人基準情報設定手段８と距離検出手段９と倍率決定手段１０とが設けられる。個人基準情報設定手段８と距離検出手段９及び倍率決定手段１０のそれぞれは、制御部５に設けられたコンピュータの処理で具現化される。
【００１０】
記憶部６には、処理データ記憶部１１と表示データ記憶部１２と個人データ記憶部１３とが設けられる。処理データ記憶部１１は、前記コンピュータの処理に必要なデータを一時的に記憶する領域である。表示データ記憶部１２は、インターネットから情報端末１に供給された文字データ又は画像データを一時的に記憶する領域である。個人データ記憶部１３は、情報端末１の利用者が利用者ごとに作成した顔端末間距離と倍率との関係を規定した個人基準情報１４を記憶する領域である。倍率は、画面７に通常に表示される文字や画像の大きさを基準とし、その基準とした文字や画像の大きさに対し拡大又は縮小して文字や画像を表示する大きさを規定した数値である。
【００１１】
個人データ記憶部１３に記憶された個人基準情報１４としては、次の数値に限定されるものではないが、顔端末間距離として「１〜１０ｃｍ未満」、「１０〜２０ｃｍ未満」、「２０〜２８ｃｍ未満」等のように複数種類の顔端末間距離が記憶され、複数種類の顔端末間距離のそれぞれごとに対応する倍率として「１〜１０ｃｍ未満」に対応する倍率「２．０倍」、「１０〜２０ｃｍ未満」に対応する倍率「１．５倍」、「２０〜２８ｃｍ未満」に対応する倍率「１．２倍」を例示した。
【００１２】
前記構成の情報端末１によれば、操作部４が利用者からの操作を受けて顔端末間距離の数値及び倍率の数値を個人基準情報設定手段８に入力されると、個人基準情報設定手段８が操作部４から入力された顔端末間距離の数値及び倍率の数値を操作顔端末間距離と倍率との関係を規定した個人基準情報１４として個人データ記憶部１３に記憶する。例えば、操作部４が利用者からの操作を受けて複数種類の顔端末間距離の数値として「１〜１０ｃｍ未満」、「１０〜２０ｃｍ未満」、「２０〜２８ｃｍ未満」を個人基準情報設定手段８に入力すると、個人基準情報設定手段８が前記数値「１〜１０ｃｍ未満」、「１０〜２０ｃｍ未満」、「２０〜２８ｃｍ未満」を個人基準情報１４における顔端末間距離の列に入力された順に上から下の配列となるように記憶する。又、操作部４が利用者からの操作を受けて複数種類の倍率の数値として「２．０倍」、「１．５倍」、「１．２倍」等を個人基準情報設定手段８に入力すると、個人基準情報設定手段８が前記数値「２．０倍」、「１．５倍」、「１．２倍」を個人基準情報１４における倍率の列に入力された順に上から下の配列となるように記憶する。
【００１３】
前記のように利用者からの操作で操作顔端末間距離と倍率との関係が個人基準情報として前記個人データ記憶部に記憶された後、文字や画像が画面７に表示された状態において、距離センサ２が測定した顔端末間距離データを距離検出手段９に出力し、距離検出手段９が顔端末間距離を検出すると、倍率決定手段１０が前記検出された顔端末間距離に応じた倍率を個人データ記憶部１３から取得し、前記画面７に表示された文字や画像を前記取得した倍率で拡大又は縮小して画面７に表示する。
【００１４】
尚、距離センサ２がカメラで構成された場合は、カメラで撮影された顔画像の基準となる顔画像が記憶部６に記憶されている。そして、距離検出手段９が顔端末間距離検出用データとしてカメラで撮影された顔画像の大きさを記憶部６に記憶された基準の顔画像の大きさと比較し、基準の顔画像に対する撮影された顔画像の比率に基づき前記顔端末間距離検出用データを顔端末間距離データとして加工し、距離検出手段９が前記加工した顔端末間距離データを顔端末間距離として処理データ記憶部１１に記憶する。距離センサ２がカメラで構成された場合は、メガネ、コンタクトレンズの有無により裸眼か矯正かにより倍率を変更でき、老視、近視、遠視等に合わせて画面７に補表示された文字や画像を拡大又は縮小することができ、又は、一定時間瞬きをしていないときは画面７を暗くし、画面７が暗くなってから目をつぶったときに画面７を明るくすることで居眠り防止となり、又は、一定時間、目をつぶったときは、文字や画像の大きさの変更機能を停止したり、画面７の表示を停止したりして、電源の消耗を低減してもよい。
【００１５】
距離センサ２がマイクで構成された場合は、マイクで集音された鼻息や音の大きさの基準となる鼻息や音の大きさが記憶部６に記憶されている。そして、距離検出手段９が顔端末間距離検出用データとしてマイクで集音された鼻息や音の大きさを記憶部６に記憶された基準の鼻息や音の大きさと比較し、基準の鼻息や音の大きさに対する集音された鼻息や音の大きさの比率に基づき前記顔端末間距離検出用データを顔端末間距離データとして加工し、距離検出手段９が前記加工した顔端末間距離データを顔端末間距離として処理データ記憶部１１に記憶する。
【００１６】
距離センサ２が赤外線距離測定器で構成された場合は、距離検出手段９が赤外線距離測定器で検出された顔端末間距離データをそのまま顔端末間距離として処理データ記憶部１１に記憶する。
【００１７】
図２に示した発明を実施するための形態に係る表示処理は、情報端末１が表示データ記憶部１２に記憶された文字データによる文字又は画像データによる画像を画面７に表示した状態において、ステップ２０１では利用者が顔端末距離と拡大倍率との関係を規定する個人基準情報１４を設定する。例えば、利用者が操作部４の設定開始部をオン操作し、操作部４から設定開始信号が制御部５に入力され、制御部５のコンピュータがアプリケーションプログラムの動作で個人基準情報設定手段８に相当する処理を開始する。
【００１８】
前記処理が開始すると、顔端末間距離の入力を促す案内が画面７又は図示のされていないスピーカで表示される。画面７に表示された顔端末間距離の入力を促す案内としては、例えば、図１の個人データ記憶部１３に記載された個人基準情報１４の表形式であり、その表形式における顔端末間距離の列における「スペース〜スペースｃｍ未満」の「スペース」に数値を挿入させる態様が考えられる。この表形式で画面７に表示された案内に従い、利用者が操作部４の「０乃至９」の数値キーからなる操作部４を操作して数値を入力すると、入力された数値が画面７に表示された顔端末間距離の入力を促す案内の「スペース〜スペースｃｍ未満」における各「スペース」に挿入されて表示される。これにより、個人データ記憶部１３の顔端末間距離に対応する複数種類の「数値〜数値ｃｍ未満」の列が設定される。
【００１９】
次に、倍率の入力を促す案内が画面７又は図示のされていないスピーカで表示される。画面７に表示された倍率の入力を促す案内としては、例えば、図１の個人データ記憶部１３に記載された個人基準情報１４の表形式であり、その表形式における顔端末間距離に対応する複数種類の「数値〜数値ｃｍ未満」の列の右側における倍率の列における「スペース倍」の「スペース」に数値を挿入させる態様が考えられる。この表形式で画面７に表示された案内に従い、利用者が操作部４の「０乃至９」の数値キーからなる操作部４を操作して数値を入力すると、入力された数値が画面７に表示された倍率の入力を促す案内の「スペース倍」における各「スペース」に挿入されて表示される。これにより、個人データ記憶部１３の顔端末間距離に対応する複数種類の「数値倍」の列が設定される。
【００２０】
ステップ２０２では、利用者による個人基準情報１４の設定が完了したか判断する。利用者が操作部４の設定完了部をオン操作しなければ、操作部４から設定完了信号が制御部５に入力されず、ステップ２０２がＮＯとなり、ステップ２０２に戻る。利用者が操作部４の設定完了部をオン操作し、操作部４から設定完了信号が制御部５に入力されると、ステップ２０２がＹＥＳとなり、ステップ２０３に進む。
【００２１】
ステップ２０３では、制御部５のコンピュータがアプリケーションプログラムの動作で倍率決定手段１０に相当する処理により、画面７表示中かを判断する。例えば、インターネットから情報端末１に供給された文字データ又は画像データが表示データ部に記憶され、この表示データ部から抽出された文字データや画像データに基づく文字又は画像が情報端末１の画面７に表示されていなければ、ステップ２０３がＮＯとなり、ステップ２０３に戻る。前記表示データ部から抽出された文字データや画像データに基づく文字や画像が画面７に表示されていると、ステップ２０３がＹＥＳとなり、ステップ２０４に進む。
【００２２】
ステップ２０４では、制御部５のコンピュータがアプリケーションプログラムの動作で距離検出手段９に相当する処理により、距離検出手段９が距離センサ２から顔端末間距離検出用データを取り込み、距離検出手段９が前記取り込んだ顔端末間距離検出用データを顔端末間距離データに加工し、距離検出手段９が前記加工した顔端末間距離データを顔端末間距離として処理データ記憶部１１に記憶し、距離検出手段９が距離検出終了信号を倍率決定手段１０に出力し、倍率決定手段１０が処理データ記憶部１１から抽出した顔端末間距離を個人データ部に記憶された個人基準情報１４の顔端末間距離を検索して該当する倍率を抽出し、ステップ２０５に進む。
【００２３】
ステップ２０５では、制御部５のコンピュータがアプリケーションプログラムの動作で倍率決定手段１０に相当する処理により、顔端末間距離検出手段９で取得した顔端末間距離を個人データ記憶部１３の個人基準情報１４に検索して該当する倍率を抽出し、ステップ２０６に進む。
【００２４】
ステップ２０６では、制御部５のコンピュータがアプリケーションプログラムの動作で倍率決定手段１０に相当する処理により、個人データ記憶部１３の個人基準情報１４から抽出した倍率で画面７に表示された文字や画像を拡大又は縮小する。
【符号の説明】
【００２５】
１    情報端末
２    距離センサ
３    可視化表示器
４    操作部
５    制御部
６    記憶部
７    可視化表示器３の画面
８    個人基準情報設定手段
９    距離検出手段
１０  倍率決定手段
１１  処理データ記憶部
１２  表示データ記憶部
１３  個人データ記憶部
１４  個人基準情報
【図１】
2017204156.tif 000003
【図２】
2017204156.tif 000004
【図３】
2017204156.tif 000005